【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
遊技を行うときに遊技者が操作する操作スイッチと、
画像表示装置と、
遊技者による前記操作スイッチの操作を所定時間受け付けないフリーズを制御するフリーズ制御手段と
を備え、
遊技状態として、遊技者にとって有利な特定遊技状態を備え、
前記特定遊技状態では、前記特定遊技状態の遊技回数を上乗せするか否か及び上乗せ数を決定する上乗せ決定遊技を備え、
前記上乗せ決定遊技において、前記操作スイッチが操作されたときに、前記特定遊技状態の遊技回数を上乗せしないことに決定するまで、前記特定遊技状態の遊技回数を上乗せするか否か及び上乗せ数の決定を繰り返す上乗せ決定手段を備え、
前記上乗せ決定手段により上乗せ数を決定したときは、決定した上乗せ数を前記特定遊技状態の遊技回数に上乗せし、
前記フリーズ制御手段は、前記上乗せ決定遊技において前記操作スイッチが操作されたときにフリーズを開始するとともに、フリーズ中に、前記リールを通常の態様とは異なる態様で動作させるものの遊技の進行を許可しない特定リール動作を実行し、特定の条件を満たしたときにフリーズを終了するように制御し、
フリーズ中に、前記操作スイッチが操作されるごとに、前記上乗せ決定手段により決定した上乗せ数が上乗せされることを前記画像表示装置に表示し、フリーズの終了時までに上乗せ数の全部を前記画像表示装置に表示する
ことを特徴とするスロットマシン。
【請求項２】
請求項１において、
前記フリーズ制御手段は、前記操作スイッチが操作されたことを契機として、前記特定リール動作中に、前記リールを変動させる
ことを特徴とするスロットマシン。
【請求項３】
請求項１又は請求項２において、
前記操作スイッチとして、前記リールの回転を停止させるときに遊技者が操作するストップスイッチを備え、
前記フリーズ制御手段は、前記特定リール動作において、遊技者による前記ストップスイッチの操作に基づくことなく動作中の前記リールを一時停止し、一時停止時に表示した図柄の組合せによって前記特定遊技状態の遊技回数の上乗せの有無及び／又は上乗せ数を示唆するようにし、
前記リールを一時停止することにより図柄の組合せを表示した後、前記画像表示装置により前記上乗せ数の一部又は全部を表示する
ことを特徴とするスロットマシン。
【請求項４】
請求項１から請求項３までのいずれか１項において、
前記フリーズ制御手段は、前記特定リール動作の開始時に、所定の図柄の組合せを停止表示し、その後、前記リールを変動させる
ことを特徴とするスロットマシン。
【手続補正２】
【補正対象書類名】明細書
【補正対象項目名】０００５
【補正方法】変更
【補正の内容】
【０００５】
本発明が解決しようとする課題は、特定遊技状態中に、特定遊技状態の遊技回数の上乗せが行われるスロットマシンにおいて、上乗せ数の見せ方に特徴を持たせることである。
【手続補正３】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
複数種類の図柄を表示した複数のリール（３１）と、
遊技を行うときに遊技者が操作する操作スイッチ（ベットスイッチ４０、スタートスイッチ４１、又はストップスイッチ４２）と、
画像表示装置（２３）と、
遊技者による前記操作スイッチの操作を所定時間受け付けないフリーズを制御するフリーズ制御手段（７１）と
を備え、
遊技状態として、遊技者にとって有利な特定遊技状態（ＡＴ遊技（Ｅｘ．チャンス））を備え、
前記特定遊技状態では、前記特定遊技状態の遊技回数を上乗せするか否か及び上乗せ数を決定する上乗せ決定遊技を備え、
前記上乗せ決定遊技において、前記操作スイッチが操作されたときに、前記特定遊技状態の遊技回数を上乗せしないことに決定するまで、前記特定遊技状態の遊技回数を上乗せするか否か及び上乗せ数の決定を繰り返す上乗せ決定手段（９５）を備え、
前記上乗せ決定手段により上乗せ数を決定したときは、決定した上乗せ数を前記特定遊技状態の遊技回数に上乗せし、
前記フリーズ制御手段は、前記上乗せ決定遊技において前記操作スイッチが操作されたときにフリーズを開始するとともに、フリーズ中に、前記リールを通常の態様とは異なる態様で回転させるものの遊技の進行を許可しない特定リール動作を実行し、特定の条件を満たしたときにフリーズを終了するように制御し、
フリーズ中に、前記操作スイッチが操作されるごとに、前記上乗せ決定手段により決定した上乗せ数が上乗せされることを前記画像表示装置に表示し、フリーズの終了時までに上乗せ数の全部を前記画像表示装置に表示する
ことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
（作用）
本発明においては、上乗せ決定遊技において操作スイッチが操作されたときに、特定遊技状態の遊技回数を上乗せしないことが決定されるまで、特定遊技状態の遊技回数を上乗せするか否か及び上乗せ数の決定が繰り返される。そして、上乗せ数が決定されたときは、決定された上乗せ数が特定遊技状態の遊技回数に上乗せされる。
【手続補正９】
【補正対象書類名】明細書
【補正対象項目名】００１２
【補正方法】変更
【補正の内容】
【００１２】
また、上乗せ決定遊技において操作スイッチが操作されたときにフリーズが開始され、フリーズ中は特定リール動作が実行され、特定の条件を満たしたときにフリーズが終了する。
【手続補正１０】
【補正対象書類名】明細書
【補正対象項目名】００１３
【補正方法】変更
【補正の内容】
【００１３】
さらに、フリーズ中に、操作スイッチが操作されるごとに、上乗せ数が表示される。そして、フリーズの終了時までに、上乗せ数の全部が表示される。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】変更
【補正の内容】
【００２７】
本発明によれば、上乗せ決定遊技において操作スイッチが操作されたときに、上乗せしないことが決定されるまで、上乗せするか否か及び上乗せ数の決定が繰り返される。そして、決定された上乗せ数が特定遊技状態の遊技回数に上乗せされる。また、上乗せ決定遊技において操作スイッチが操作されたときにフリーズが開始され、フリーズ中は特定リール動作が実行され、特定の条件を満たしたときはフリーズが終了する。そして、フリーズ中に上乗せ数が表示され、フリーズの終了時までに上乗せ数の全部が表示される。これにより、上乗せ数の見せ方に特徴を持たせることができる。
【手続補正２５】
【補正対象書類名】明細書
【補正対象項目名】００２８
【補正方法】削除
【補正の内容】